(57)【要約】【課題】  共振器が発生する電磁波の外部への漏れが抑制された受信機を提供する。【解決手段】  シャーシ９は凸部９ａを有している。フレーム３のリブ部３ｂの先端には凹部３ｃが設けられている。凸部９ａは、回路基板１０に設けられた貫通孔８ａに挿入され、回路基板１０の主表面よりも上側に延びている。凸部９ａと凹部３ｃとは互いに嵌合している。したがって、空間２０内の共振器が発生した電磁波は、回路基板１０とフレーム３との隙間を通り抜けようとしても、凸部９ａに衝突する。そのため、電磁波が空間２０から空間３０へ漏れることが防止される。【選択図】        図１
2007013860.tif 000002
【特許請求の範囲】
【請求項１】
シールド用の平板状のシャーシと、
前記シャーシの主表面の上側に設けられ、貫通孔を有する回路基板と、
前記シャーシと前記回路基板との間の位置から前記貫通基板を介して前記回路基板の主表面上の位置まで延びるアース部と、
前記回路基板の主表面上に設けられ、アンテナに電気的に接続された共振器と、
前記アース部に電気的に接続されたリブ部を有するとともに、前記回路基板に取付けられ、前記シャーシとともに前記共振器を内包するシールド用のフレームとを備え、
前記シャーシの前記主表面および前記フレームの前記リブ部の先端のうちの少なくともいずれか一方に凸部が設けられ、
前記凸部は、前記貫通孔に挿入され、前記回路基板と前記フレームの先端との隙間から外部へ電磁波が漏れることを抑制するシールド部として機能する、受信機。
【請求項２】
前記凸部が前記シャーシの前記主表面に設けられ、
前記フレームの前記リブの先端には、前記凸部に対応する凹部が設けられ、
前記凸部が前記貫通孔に挿入され前記凹部に嵌め込まれた、請求項１に記載の受信機。
【請求項３】
前記凸部が前記フレームの前記リブの先端に設けられ、
前記シャーシの主表面には、前記凸部に対応する凹部が設けられ、
前記凸部が前記貫通孔に挿入され前記凹部に嵌め込まれた、請求項１に記載の受信機。
【請求項４】
前記アンテナがマイクロ波を受信し、前記共振器が前記マイクロ波に起因する電子波を放出する、請求項１に記載の受信機。
【発明の詳細な説明】
【技術分野】
【０００１】
本発明は、アンテナに電気的に接続された共振器が搭載された回路基板をシールドするためのシャーシおよびフレームが設けられた受信機に関するものである。
【背景技術】
【０００２】
従来から、受信機の一例として衛星放送用受信機が広く一般に用いられている。衛星放送用受信機においては、たとえば、ロウノイズブロックダウンコンバータ（以下、「ＬＮＢ：Low Noise Block Down Converter」という。）は、Ａｌを主成分としたダイカストシャーシ（以下、「シャーシ」という。）、回路基板、フレーム、裏蓋、ホーンキャップ、およびキャビネットなどによって構成されており、パラボラアンテナおよびレシーバなどと組合せて用いられる。
【０００３】
次に、図４〜図６を用いて、従来のＬＮＢを有する衛星放送用受信機の構造を説明する。
【０００４】
従来の衛星放送用受信機は、シールド機能を有する導電性の平板状のシャーシ９と、シャーシ９の上側に設けられた回路基板１０とを備えている。また、回路基板１０とシャーシ９との間に延びるように基板裏面アース部７が設けられている。また、回路基板１０には、それを幅方向に貫通する貫通孔８ａ内に導電性プラグ８が設けられている。導電性プラグ８は、基板裏面アース部７に接続されている。
【０００５】
また、導電性プラグ８は、回路基板１０の主表面上において延びるアースライン４に接続されている。したがって、基板裏面アース部７、導電性プラグ８、およびアースライン４は、回路基板１０とシャーシ９との間の位置から貫通孔８ａを介して回路基板１０の主表面上の位置まで延びるアース部として機能する。
【０００６】
また、回路基板１０上には、パラボラアンテナ等のアンテナ１００に電気的に接続された誘電体共振器２および電子回路部品５が設けられている。電子回路部品５は、回路基板１０上に設けられた導体配線６に接続されている。また、回路基板１０の主表面に対してシールド用の導電性のフレーム３が取付けられている。
【０００７】
フレーム３は、主表面部３ａと、主表面部３ａの主表面に対して垂直な方向に延び、誘電体共振器２を完全に囲むように設けられたリブ部３ｂとを有している。したがって、フレーム３とシャーシ９とは、誘電体共振器２を内包している。つまり、誘電体共振器２は、フレーム３とシャーシ９とで囲まれた空間２０内に存在する。リブ部３ｂは、アースライン４に電気的に接触している。なお、フレーム３の主表面部３ａを幅方向に貫通するようにローカルねじ１が設けられている。
【０００８】
上記のような従来の衛星放送用受信機においては、図５および図６に示すように、フレーム３のリブ部３ｂの先端および回路基板１０上に設けられたアースライン４のそれぞれの接触面はほぼ平面となっている。ただし、フレーム３のリブ部３ｂの先端部の表面は、０．１ｍｍ以下の凹凸１２が存在する。
【特許文献１】特開平９−２７０５９２号公報
【特許文献２】特開平１０−６５３７８号公報
【特許文献３】実開平３−５７９９３号公報
【発明の開示】
【発明が解決しようとする課題】
【０００９】
上記従来のような衛星放送用受信機がマイクロ波のような高周波を受信する場合には、前述の０．１ｍｍ以下の微小な凹凸１２によって、誘電体共振器２が発生する電磁波がフレーム３とアースライン４との界面を介して外部へ漏れる。そのため、空間２０に隣接する空間３０内に存在する電子回路部品５等に悪影響が与えられる。前述の電磁波の漏れを防止するために、フレーム３のリブ部３ｂの先端とアースライン４との間に電波吸収体を挿入することが考えられる。しかしながら、電波吸収体は高価であるため、受信機の製造コストが増加してしまう。
【００１０】
本発明は、上述の問題に鑑みなされたものであり、その目的は、共振器が発生した電磁波がシャーシおよびフレームの外部へ漏れることが防止された受信機を提供することである。
【課題を解決するための手段】
【００１１】
本発明の受信機は、シールド用の平板状のシャーシと、シャーシの主表面の上側に設けられ、貫通孔を有する回路基板と、シャーシと回路基板との間の位置から貫通基板を介して回路基板の主表面上の位置まで延びるアース部とを備えている。また、受信機は、回路基板の主表面上に設けられ、アンテナに電気的に接続された共振器と、アース部に電気的に接続されたリブ部を有するとともに、回路基板に取付けられ、シャーシとともに共振器を内包するシールド用のフレームとを備えている。また、シャーシの主表面およびフレームのリブ部の先端のうちの少なくともいずれか一方に凸部が設けられている。また、凸部は、貫通孔に挿入され、回路基板とフレームの先端との隙間から外部へ電磁波が漏れることを抑制するシールド部として機能する。
【００１２】
上記の構造によれば、回路基板とフレームとの隙間を通って電磁波が外部に漏れることが抑制される。したがって、共振器が発生した電磁波に起因する悪影響の発生が防止される。
【００１３】
また、凸部がシャーシの主表面に設けられ、フレームのリブの先端には、凸部に対応する凹部が設けられ、凸部が貫通孔に挿入され凹部に嵌め込まれていてもよい。
【００１４】
上記の構造によれば、電磁波の経路が凹部と凸部との間において２回折れ曲がるため、より確実に電磁波の漏出を防止することができる。
【００１５】
また、凸部がフレームのリブの先端に設けられ、シャーシの主表面には、凸部に対応する凹部が設けられ、凸部が貫通孔に挿入され凹部に嵌め込まれていてもよい。
【００１６】
上記の構造によっても、電磁波の経路が凹部と凸部との間において２回折れ曲がるため、より確実に電磁波の漏出を防止することができる。
【００１７】
また、前述のアンテナがマイクロ波を受信し、共振器がマイクロ波に起因する電磁波を放出する場合には、従来の構造によっては電子波の漏出を防止することができないおそれが大きいので、前述の本発明の受信機の構造を採用すれば、より効果的に電磁波の漏出を防止することが可能になる。
【発明を実施するための最良の形態】
【００１８】
以下、図面を参照して、本発明の各実施の形態の衛星放送用受信機を説明する。実施の形態の衛星放送受信機の全体構造のそれぞれは、図４を用いて説明した従来の受信機の全体構造とほぼ同様である。したがって、以下においては、各実施の形態の衛星放送用受信機の構造と図４を用いて説明した従来の衛星放送用受信機の構造との異なる点（図４の符号１１で示す部分）のみを説明する。
【００１９】
なお、実施の形態においては、衛星放送用受信機が例示されているが、本発明は、アンテナおよびそれに接続され電磁波を発生する共振器を有する受信機であれば、いかなる受信機に対しても適用され得るものである。
【００２０】
（実施の形態１）
図１を参照して、実施の形態１の衛星放送用受信機を説明する。本実施の形態においては、シャーシ９がその主表面から突出する凸部９ａを有しており、フレーム３のリブ部３ｂの先端に凸部９ａに対応する凹部３ｃが設けられている。凸部９ａは、貫通孔８ａ内に挿入され、回路基板１０の主表面の上方の位置まで延びている。凸部９ａと凹部３ｃとは嵌合している。
【００２１】
また、本実施の形態においても、アースライン４は、フレーム３のリブ部３ｂの先端と回路基板１０との間に挿入されている。導電性プラグ８は、貫通孔８ａの内周面に沿って延びている。導電性プラグ８によって、基板裏面アース部７とアースライン４とが電気的に接続されていることは、従来と同様である。ただし、凹部３ｃと凸部９ａとの間には距離Ｚの空間が設けられている。
【００２２】
上記のような本実施の形態の衛星放送用受信機の構造によれば、誘電体共振器２が発生した電磁波が、フレーム３とシャーシ９との隙間を通過しようとするときに、シャーシ９の凸部９ａに衝突してしまう。そのため、電磁波はシャーシ９によって吸収される。したがって、電磁波がシャーシ９とフレーム３とによって囲まれた誘電体共振器２を内包する空間から電子回路部品５が内包されている空間３０へ漏れ出してしまうことが抑制される。その結果、本実施の形態の受信機によれば、電子回路部品５が誘電体共振器２の発生する電磁波の悪影響を受けることが防止される。つまり、シールド効果がより高められる。
【００２３】
また、上記の構造によれば、電磁波の経路が凹部３ｃと凸部９ａとの間において２回折れ曲がるため、より確実に電磁波の漏出を防止することができる。
【００２４】
なお、凹部３ｃおよび凸部９ａのそれぞれの形状は、直進する電磁波の経路に凸部９ａが存在する構造であれば、いかなる形状であってもよい。
【００２５】
（実施の形態２）
次に、図２を用いて、実施の形態２の衛星放送用受信機を説明する。実施の形態２の衛星放送用受信機においては、実施の形態１の衛星放送用受信機とは異なり、シャーシ９に凹部９ｂが設けられており、フレーム３に凹部９ｂに対応する凸部３ｄが設けられている。凸部３ｄは、貫通孔８ａ内に挿入され、回路基板１０の主表面よりも下側の位置まで延びている。凹部９ｂと凸部３ｄとは嵌合している。
【００２６】
また、本実施の形態においても、アースライン４は、フレーム３のリブ部３ｂと回路基板１０との間に挿入されている。また、導電性プラグ８は、貫通孔８ａの内周面に沿って延びている。さらに、導電性プラグ８によって、基板裏面アース部７とアースライン４とが電気的に接続されていることは、従来と同様である。ただし、凹部９ｂと凸部３ｄとの間には距離Ｚの空間が設けられている。
【００２７】
このような構造によれば、誘電体共振器２が発生する電磁波は、フレーム３と回路基板１０との隙間を通り抜けようとするときに、フレーム３の凸部３ｄに衝突する。その結果、電磁波が空間２０から空間３０に漏れ出すことが抑制されるため、電子回路部品５に悪影響が与えられることが防止される。
【００２８】
また、上記の構造によれば、電磁波の経路が凹部９ｂと凸部３ｄとの間において２回折れ曲がるため、より確実に電磁波の漏出を防止することができる。
【００２９】
なお、凹部９ｂおよび凸部３ｄのそれぞれの形状は、直進する電磁波の経路に凸部３ｄが存在する構造であれば、いかなる形状であってもよい。また、本実施の形態においては、シャーシ９に凹部９ｂが設けられているが、シャーシ９に凹部９ｂが設けられておらず、シャーシ９の主表面が平坦であっても、凸部３ｄがシャーシ９の主表面の近傍まで延びていれば、誘電体共振器２が発した電磁波の空間２０から空間３０への漏れを防止することは可能である。つまり、凹部９ｂは本発明に必須の構成ではない。
【００３０】
（実施の形態３）
次に、図３を用いて、実施の形態３の衛星放送用受信機を説明する。本実施の形態においては、フレーム３の先端が凸部３ｅを有しており、シャーシ９の主表面に凸部９ｃが設けられている。凸部９ｃは、貫通孔８ａに挿入され、回路基板１０の主表面より上側の位置まで延びている。凸部９ｃと凸部３ｅとは、互いに隣接して平行に延びている。つまり、凸部３ｅおよび凸部９ｃは、それぞれ、回路基板１０の主表面に対して垂直な方向に延び、互いに重ねられている。
【００３１】
また、本実施の形態においても、アースライン４は、フレーム３のリブ部３ｂの先端と回路基板１０との間に挿入されている。また、導電性プラグ８は、貫通孔８ａの内周面に沿って延びている。さらに、導電性プラグ８によって、基板裏面アース部７とアースライン４とが電気的に接続されていることは、従来と同様である。また、凸部９ｃと凸部３ｅとの間には距離Ｚの空間が設けられている。
【００３２】
上記のような本実施の形態の衛星放送用受信機においても、誘電体共振器２が発生する電磁波が回路基板１０とフレーム３との隙間を通り抜けようとするときに、シャーシ９の凸部９ｃに衝突する。その結果、電磁波が外部に漏れることが抑制される。
【００３３】
以上、実施の形態１〜３に記載の衛星放送用受信機の構造によれば、シャーシ９、フレーム３および回路基板１０等を成形するための金型の形状を前述のような凹部および凸部に対応する形状を有するようにしておくだけで、低コストで受信機のシールド効果を向上させることができる。
【００３４】
また、上記各実施の形態の衛星放送用受信機によれば、パラボラアンテナ等のアンテナ１００がマイクロ波のような高周波を受信し、誘電体共振器２が高周波に起因する電磁波を発生させる場合に、従来の衛星放送放送用受信機に比較して、より一層大きなシールド効果が発揮される。
【００３５】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３６】
【図１】実施の形態１の衛星放送用受信機の構造を説明するための図である。
【図２】実施の形態２の衛星放送用受信機の構造を説明するための図である。
【図３】実施の形態３の衛星放送用受信機の構造を説明するための図である。
【図４】従来の衛星放送用受信機の構造を説明するための図である。
【図５】図４の符号１１で示す部分の拡大図であって、図４のＶ−Ｖ線断面図である。
【図６】図５のＶＩ−ＶＩ線断面図である。
【符号の説明】
【００３７】
１  ローカルねじ、２  誘電体共振器、３  フレーム、３ａ  主表面部、３ｂ  リブ部、３ｃ  凹部、３ｄ，３ｅ  凸部、４  アースライン、５  電子回路部品、６  導体配線、７  基板裏面アース部、８  導電性プラグ、８ａ  貫通孔、９  シャーシ、９ａ，９ｃ  凸部、９ｂ  凹部、１０  回路基板、１１  拡大部分、Ｚ  距離。
【図１】
2007013860.tif 000003
【図２】
2007013860.tif 000004
【図３】
2007013860.tif 000005
【図４】
2007013860.tif 000006
【図５】
2007013860.tif 000007
【図６】
2007013860.tif 000008